(57)【要約】【課題】携帯端末装置を用いて容易に構築できる防犯システムを提供すること。【解決手段】携帯電話端末１は、防犯稼動中は、入力装置部２で入力情報を収集し、収集した情報が予め情報保存部４に設定された過去の情報との差分情報が閾値より大きい場合、不審者として検出し、不審者を検出した場合にその時に収集した不審者情報を無線装置部５で電子メールで通知先である他の情報処理装置に通知する。【選択図】図１
2008090713.tif 000002
【特許請求の範囲】
【請求項１】
防犯稼動中は、入力情報を収集し、収集した情報が予め設定された過去の情報との差分情報が閾値より大きい場合、不審者として検出し、不審者を検出した場合にその時に収集した不審者情報を電子メールで通知先である他の情報処理装置に通知することを特徴とする携帯端末装置。
【請求項２】
予め不審者を検出するために前記入力情報に対する制御情報を保存部に設定しておき、その制御情報を基に入力情報を収集することを特徴とする請求項１記載の携帯端末装置を用いた防犯システム。
【請求項３】
不審者を検出した場合に、不審者に対して鳴動による警告を行うことを特徴とする請求項１または２記載の携帯端末装置を用いた防犯システム。
【請求項４】
予め指定された宛先である他の情報処理装置に電話接続またはテレビ電話接続を行うことを特徴とする請求項１から３のいずれか１項に記載の携帯端末装置を用いた防犯システム。
【請求項５】
携帯端末装置は、防犯稼動中は、入力情報を収集し、収集した情報が予め設定された過去の情報との差分情報が閾値より大きい場合、不審者として検出し、不審者を検出した場合にその時に収集した不審者情報を電子メールで通知先である他の情報処理装置に通知することを特徴とする携帯端末装置を用いた防犯システム。
【請求項６】
予め不審者を検出するために前記入力情報に対する制御情報を保存部に設定しておき、その制御情報を基に入力情報を収集することを特徴とする請求項５記載の携帯端末装置を用いた防犯システム。
【請求項７】
前記携帯端末装置は、不審者を検出した場合に、不審者に対して鳴動による警告を行うことを特徴とする請求項５または６記載の携帯端末装置を用いた防犯システム。
【請求項８】
前記携帯端末装置は、予め指定された宛先である他の情報処理装置に電話接続またはテレビ電話接続を行うことを特徴とする請求項５から７のいずれか１項に記載の携帯端末装置を用いた防犯システム。
【請求項９】
携帯端末装置が、防犯稼動中は、入力情報を収集し、収集した情報が予め設定された過去の情報との差分情報が閾値より大きい場合、不審者として検出し、不審者を検出した場合にその時に収集した不審者情報を電子メールで通知先である他の情報処理装置に通知することを特徴とする携帯端末装置を用いた防犯方法。
【請求項１０】
予め不審者を検出するために前記入力情報に対する制御情報を保存部に設定しておき、その制御情報を基に入力情報を収集することを特徴とする請求項９記載の携帯端末装置を用いた防犯方法。
【請求項１１】
前記携帯端末装置が、不審者を検出した場合に、不審者に対して鳴動による警告を行うことを特徴とする請求項９または１０記載の携帯端末装置を用いた防犯方法。
【請求項１２】
前記携帯端末装置が、予め指定された宛先である他の情報処理装置に電話接続またはテレビ電話接続を行うことを特徴とする請求項９から１１のいずれか１項に記載の携帯端末装置を用いた防犯方法。
【請求項１３】
コンピュータに請求項１から４のいずれか１項に記載の機能を実現させることを特徴とするプログラム。
【発明の詳細な説明】
【技術分野】
【０００１】
本発明は、携帯端末装置を用いて不審者情報を判別し警告を行う技術に関する。
【背景技術】
【０００２】
従来、マイク、カメラ、位置検出装置、傾き検出装置、赤外線検出装置といった様々な外部情報の入力装置をもつ携帯端末装置が普及しており今後も様々な外部情報の入力装置が組み込まれることが予想される。
【０００３】
そのような携帯端末装置を個人もしくは各家庭が複数台保有していることも少なくない。
【０００４】
一方、空き巣、車上荒らしといった犯罪は後を絶たず、防犯対策を行うことは重要なことである。
【０００５】
ここで、警備対象となる住居において、ディジタルカメラにより特定場所の撮影を行い、その撮影画像を端末装置内へ取り込み、端末装置により、撮影画像の変化が生じたか否かを判断し、撮影画像の変化が生じた場合、住居への不法侵入者があると認識して、このときの撮影画像を、通信網を介して、外部のサーバへ送信することで、不法侵入を確実に防げる警備システムを、簡単に且つ安価に構築することができる技術が提案されている（例えば、特許文献１参照）。
【特許文献１】特開２００２−１５２７１４号公報
【発明の開示】
【発明が解決しようとする課題】
【０００６】
しかしながら、従来技術では、防犯システムを家屋や車に構築することは一般的に高価であり容易で安価に構築できる防犯システムが求められていた。
【０００７】
本発明は、以上説明した問題点を解決するためになされたものである。その目的は、携帯端末装置を用いて容易に構築できる防犯システムを提供することである。
【課題を解決するための手段】
【０００８】
請求項１に記載の発明は、防犯稼動中は、入力情報を収集し、収集した情報が予め設定された過去の情報との差分情報が閾値より大きい場合、不審者として検出し、不審者を検出した場合にその時に収集した不審者情報を電子メールで通知先である他の情報処理装置に通知することを特徴とする携帯端末装置である。
【０００９】
請求項５に記載の発明は、携帯端末装置は、防犯稼動中は、入力情報を収集し、収集した情報が予め設定された過去の情報との差分情報が閾値より大きい場合、不審者として検出し、不審者を検出した場合にその時に収集した不審者情報を電子メールで通知先である他の情報処理装置に通知することを特徴とする携帯端末装置を用いた防犯システムである。
【００１０】
請求項９に記載の発明は、携帯端末装置が、防犯稼動中は、入力情報を収集し、収集した情報が予め設定された過去の情報との差分情報が閾値より大きい場合、不審者として検出し、不審者を検出した場合にその時に収集した不審者情報を電子メールで通知先である他の情報処理装置に通知することを特徴とする携帯端末装置を用いた防犯方法である。
【発明の効果】
【００１１】
本発明によれば、携帯端末装置を用いて容易に構築できる防犯システムを提供することができる。
【発明を実施するための最良の形態】
【００１２】
以下、本発明の実施の形態について図面を参照して詳細に説明する。図１は本実施の形態における携帯端末装置を用いた防犯システムに係わる携帯端末装置としての携帯電話端末の回路構成の要部を表したものである。
【００１３】
携帯電話端末１は、入力装置部２、制御部３、情報保存部４および無線装置部５から構成される。
【００１４】
本防犯システムにおいて、入力装置部２に含まれるマイク、カメラ、位置検出装置、傾き検出装置、赤外線検出装置といった外部情報の入力装置をもちいて空き巣や車上荒らしといった不審者が現れたことを検出するための情報を取得する。
【００１５】
入力情報としてはカメラから入力される画像情報、マイクから入力される音声情報、ＧＰＳ等の位置検出装置から入力される現在地情報、傾き検出装置から入力される携帯電話端末１の揺れ情報、赤外線検出装置から入力される赤外線情報を含む。
【００１６】
入力装置部２から入力された情報をもとに制御部３にて空き巣や車上荒らしといった不審者が現れたかどうかを判断する。
【００１７】
その結果空き巣や車上荒らしといった不審者が現れたと判断できる場合、情報保存部４に予め設定された制御情報をもとにカメラを用いて周囲の状況を撮影、予め設定された他の情報処理装置の宛先へ電子メール送信、他の情報処理装置との音声やテレビ電話による通話といった動作を自動的に行う。
【００１８】
また、制御部にて有効であると判断した入力装置部２からの入力情報は情報保存部４へ保存する。
【００１９】
無線装置部５は無線を介して他の情報処理装置と通信することにより電子メールの送信、音声やテレビ電話による通話を可能とする。
【００２０】
次に、本実施の形態の動作について説明する。
本防犯システムではカメラから入力される画像情報、マイクから入力される音声情報、ＧＰＳ等の位置検出装置から入力される現在地情報、傾き検出装置から入力される携帯電話端末１の揺れ情報、赤外線検出装置から入力される赤外線情報といった入力装置部２からの入力情報を用いて不審者の検出を行うが、携帯電話端末１の設置状況によって入力情報として不適切なものも想定される。例えば何かにぶら下げて携帯電話端末１を設置する場合、常に揺れていることも考えられ傾き検出装置からの携帯電話端末１の揺れ情報を利用することが有効でないことも想定される。
【００２１】
そのため本防犯システムを使用するにあたり事前に不審者検出のために利用する入力情報を選択し制御情報として情報保存部４へ保存しておき、利用する入力情報は入力装置部２より防犯システム稼働中は常に取得する。
【００２２】
また、その入力情報を用いて不審者を検出した場合、アラーム鳴動等による不審者への警告、カメラによって周囲の状況を撮影、電子メールにて通知、音声通話やテレビ電話による不審者への警告等が防犯システムとして有効であると考えられる。そのため不審者検出後、携帯電話端末１に期待する動作とそれに必要な情報も予め情報保存部４へ制御情報として保存しておく。期待する動作としては、上記のようにアラーム鳴動、カメラによる静止画もしくは動画撮影、電子メールの送信、音声もしくはテレビ電話による通話を想定し、必要な情報としては発信先の電子メールアドレス、電話番号を想定する。
【００２３】
図２は入力装置部２からの情報と情報保存部４に保存してある制御情報を用いて制御部３にて不審者を検出するための流れを表した図である。
【００２４】
まず、空き巣、車上荒らしといった不審人物を検出するために予め情報保存部４へ保存しておいた制御情報を入手し(ステップＳ２０１)、検出状態を不審者未検出状態に設定する(ステップＳ２０２)。
【００２５】
入力情報としてカメラからの画像情報を利用しない場合(ステップＳ２０３／Ｎ)次の入力情報を用いた不審者検出へ進み、利用する場合(ステップＳ２０３／Ｙ)画像情報を利用して不審者検出を行う。画像情報を用いた不審者検出の方法としては差分処理等が考えられる。差分処理とは現時刻で取得した画像と過去に取得した画像を比較し差分領域が大きい場合、不審者を検出したと判断する方法である。
【００２６】
画像情報を用いて不審者を検出した場合(ステップＳ２０４／Ｙ)、検出状態を不審者検出状態に設定し次へ進む(ステップＳ２０５)。
【００２７】
同様に、入力情報としてマイクからの音声情報を利用する場合(ステップＳ２０６／Ｙ)、音声情報を利用して不審者検出を行う。音声情報を用いた不審者検出の方法としては、現時刻で取得した音声情報と過去の音声情報と比較しある閾値以上の差分を検出した場合、不審者を検出したと判断する方法等が考えられる。
【００２８】
音声情報を用いて不審者を検出した場合(ステップＳ２０７／Ｙ)、検出状態を不審者検出状態に設定し次へ進む(ステップＳ２０８)。
【００２９】
同様に、入力情報としてＧＰＳ等の位置検出装置からの位置情報を利用する場合(ステップＳ２０９／Ｙ)、位置情報を利用して不審者検出を行う。ここで本防犯システム稼動中に携帯電話端末１の位置が大きく移動することは想定していない。そのためもし本防犯システムを車中に構築した場合で携帯電話端末１の移動を検出した場合、それは不審者によって車ごと盗難されたことが考えられる。よって現時刻で取得した位置情報と過去の位置情報と比較しある閾値以上の差分を検出した場合、不審者を検出したと判断する。
【００３０】
位置情報を用いて不審者を検出した場合(ステップＳ２１０／Ｙ)、検出状態を不審者検出状態に設定し次へ進む(ステップＳ２１１)。
【００３１】
同様に、入力情報として傾き検出装置からの揺れ情報を利用する場合(ステップＳ２１２／Ｙ)、揺れ情報を利用して不審者検出を行う。揺れ情報を用いた不審者検出の方法としては、現時刻で取得した揺れ情報と過去の揺れ情報と比較しある閾値以上の差分を検出した場合、不審者を検出したと判断する方法等が考えられる。
【００３２】
揺れ情報を用いて不審者を検出した場合(ステップＳ２１３／Ｙ)、検出状態を不審者検出状態に設定し次へ進む(ステップＳ２１４)。
【００３３】
同様に、入力情報として赤外線検出装置からの赤外線情報を利用する場合(ステップＳ２１５／Ｙ)、赤外線情報を利用して不審者検出を行う。赤外線情報を用いた不審者検出の方法としては赤外線検出装置内に赤外線センサを複数もち、全てのセンサが反応した場合周囲の温度が上昇したとし、一部のセンサが反応した場合不審者を検出したと判断する方法等が考えられる。
【００３４】
赤外線情報を用いて不審者を検出した場合(ステップＳ２１６／Ｙ)、検出状態を不審者検出状態に設定する(ステップＳ２１７)。
【００３５】
また、上記のような各入力情報を用いて不審者が検出できなかった場合、不審者が検出できなかったと判断する(ステップＳ２１８)。
【００３６】
図３は入力情報から不審者を検出した場合の携帯電話端末１の動作の流れを表した図である。入力情報から不審者を検出した場合(ステップＳ３０１／Ｙ)、情報保存部４より制御情報を取得し、その情報をもとに携帯電話端末１は自動的に処理を行う(ステップＳ３０２)。
【００３７】
まず、動画像の撮影を行う場合(ステップＳ３０３：動画)、カメラ起動、動画像撮影を行いその動画像を情報保存部４へ保存する(ステップＳ３０４)。
【００３８】
静止画像の撮影を行う場合(ステップＳ３０３：静止画)、カメラ起動、静止画像撮影を行いその静止画像を情報保存部４へ保存する(ステップＳ３０５)。
【００３９】
次に、アラーム鳴動させ不審者に対し警告する(ステップＳ３０６)。次に予め設定している宛先へ電子メールにて不審者検出情報を通知する場合(ステップＳ３０７／Ｙ)、かつ、その通知電子メールに撮影した画像と携帯電話端末１の現在地情報等の入力情報を添付する場合(ステップＳ３０８／Ｎ)、情報保存部４に保存している添付情報を取得し(ステップＳ３０９)、通知電子メールを無線装置部５を経由し送信する(ステップＳ３１０)。
【００４０】
画像情報、現在地情報等を添付しない場合(ステップＳ３０８／Ｙ)、不審者検出についてのみ電子メールにて通知する(ステップＳ３１０)。次に予め設定している宛先へ音声電話もしくはテレビ電話の発信を行い、離れた場所から不審者へ直接警告等を行う(ステップＳ３１１)。
【００４１】
音声電話の発信を行う場合(ステップＳ３１１／音声)、設定された宛先へ無線装置部５を経由し音声電話発信を行う(ステップＳ３１２)。テレビ電話の発信を行う場合(ステップＳ３１１／ＴＶ電話)、設定された宛先へ無線装置部５を経由しＴＶ電話発信を行う(ステップＳ３１３)。
【００４２】
図４は、本防犯システムを構築するにあたり予め情報保存部４へ保存していた制御情報を、パスワードと変更する制御情報を含ませて外部から携帯電話端末１へ電子メールにて送信することで制御情報を変更する動作の流れを表した図である。
【００４３】
まず、本防犯システム稼動中に無線装置部５を経由し電子メールを受信した場合(ステップＳ４０１／Ｙ)、電子メールの内容よりパスワード、変更制御情報を含み制御情報を変更するためのものであるかを判断する。正しいパスワード、制御情報を含む場合(ステップＳ４０２／Ｙ)、情報保存部４へ制御情報を保存し(ステップＳ４０３)、変更完了したことを無線装置部５を経由し電子メールにて返信する。
【００４４】
以上説明したように本実施の形態によれば、従来空き巣、車上荒らしといった犯罪は後をたたず防犯対策を行うことは重要なことであるが、高価でシステム構築に時間がかかった防犯システムを現在一般的に普及している携帯電話端末１を用いることで容易で安価に構築することができるという効果がある。
【００４５】
以上の説明では、携帯電話端末を用いた防犯システムを使用する場合を説明したがＰＨＳ、ＰＤＡ等の他の携帯端末装置でも同様にして防犯システムを構築することができる。
【００４６】
なお、上述する実施の形態は、本発明の好適な実施の形態であり、本発明の要旨を逸脱しない範囲内において種々変更実施が可能である。例えば、メモリ管理装置の機能を実現するためのプログラムを装置に読込ませて実行することにより装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【００４７】
また、本発明はグラフィカルユーザインターフェースを持つ、携帯電話機などの組み込み機器にも適用可能である。
【図面の簡単な説明】
【００４８】
【図１】本発明の実施の形態における携帯電話端末の回路構成の要部を表した図である。
【図２】本発明の実施の形態における不審者を検出するための流れを表した図である。。
【図３】本発明の実施の形態における入力情報から不審者を検出した場合の携帯電話端末１の動作の流れを表した図である。
【図４】本発明の実施の形態における制御情報を変更する動作の流れを表した図である。
【符号の説明】
【００４９】
１    携帯電話端末
２    入力装置部
３    制御部
４    情報保存部
５    無線装置部
【図１】
2008090713.tif 000003
【図２】
2008090713.tif 000004
【図３】
2008090713.tif 000005
【図４】
2008090713.tif 000006